(57)【要約】【課題】電源遮断時における異音の発生を抑制することが可能な液晶表示装置を提供する。【解決手段】ミュート信号の信号変化に応じて音声出力を無音状態に制御し、設定電圧の変化に応じて待機状態に移行するアンプ回路と、前記ミュート信号と、前記バックライトの点灯を切替える点灯切替信号とを出力する制御部と、駆動電圧を前記制御部に供給し、前記設定電圧を前記アンプ回路に供給する電源回路と、前記バックライトを消灯させるよう前記点灯切替信号が変化した場合は、前記電源回路から前記アンプ回路へ供給される前記設定電圧を変化させて前記アンプ回路を待機状態に移行させる第１のスイッチ回路と、を有し、前記制御部は、同制御部へ供給される前記駆動電圧が遮断された場合に、前記バックライトを消灯させるよう前記点灯切替信号を変化させて、前記第１のスイッチ回路に前記アンプ回路を前記待機状態に移行させる。【選択図】図１
2013148640.tif 000002
【特許請求の範囲】
【請求項１】
バックライトから照射される光を用いて映像を表示する液晶表示装置において、
ミュート信号の信号変化に応じて音声出力を無音状態に制御し、設定電圧の変化に応じて待機状態に移行するアンプ回路と、
前記ミュート信号と、前記バックライトの点灯を切替える点灯切替信号とを出力する制御部と、
駆動電圧を前記制御部に供給し、前記設定電圧を前記アンプ回路に供給する電源回路と、
前記バックライトを消灯させるよう前記点灯切替信号が変化した場合は、前記電源回路から前記アンプ回路へ供給される前記設定電圧を変化させて前記アンプ回路を待機状態に移行させる第１のスイッチ回路と、を有し、
前記制御部は、同制御部へ供給される前記駆動電圧が遮断された場合に、前記バックライトを消灯させるよう前記点灯切替信号を変化させて、前記第１のスイッチ回路に前記アンプ回路を前記待機状態に移行させることを特徴とする液晶表示装置。
【請求項２】
前記アンプ回路は、前記設定電圧が第一の閾値電圧以下となった場合は、前記音声出力を前記無音状態に制御し、前記設定電圧が前記第一の閾値電圧以下の第二の閾値電圧以下となった場合は、前記待機状態に移行し、
前記ミュート信号の信号変化に応じて、前記アンプ回路へ供給する前記設定電圧を前記第一の閾値電圧以下に低下させる第２のスイッチ回路を有することを特徴とする請求項１に記載の液晶表示装置。
【請求項３】
前記制御部は、同制御部へ供給される前記駆動電圧が遮断された場合は、前記アンプ回路が無音状態の制御を行うよう前記ミュート信号を変化させた後、前記バックライトを消灯させるよう前記点灯切替信号を変化させることを特徴とする請求項１又は請求項２のいずれかに記載の液晶表示装置。
【請求項４】
前記制御部は、供給される前記駆動電圧の電圧値を検出し、
前記検出された電圧値が所定値以下となった場合に、前記バックライトを消灯させるよう前記点灯切替信号を変化させることを特徴とする請求項１から請求項３のいずれか一項に記載の液晶表示装置。
【発明の詳細な説明】
【技術分野】
【０００１】
本発明は、バックライトを備える液晶表示装置に関し、特に音声出力を無音状態に制御可能な液晶表示装置に関する。
【背景技術】
【０００２】
従来、液晶表示装置では、音声出力を制御するためのアンプ回路を備えるものが知られている。また、このようなアンプ回路において音声出力を無音状態に制御するものが知られている。以下、このようなアンプ回路による無音状態への制御をミュート制御とも記載する。
このようなミュート制御は、液晶表示装置の内部に実装される制御部からのミュート信号に応じて実行される。
【０００３】
また、表示装置の電源が遮断された場合、表示装置のスピーカーから異音を生じさせることがあった。スピーカーからの異音の発生を抑制する方法として、電源が遮断された場合に、アンプ回路へ供給する電源を強制的に遮断し、異音の発生を抑制する構成が開示されている（例えば、特許文献１、２参照。）。
【先行技術文献】
【特許文献】
【０００４】
【特許文献１】特開２００３−２０４５９１号公報
【特許文献２】特開平１１−３５５０７１号公報
【発明の概要】
【発明が解決しようとする課題】
【０００５】
液晶表示装置の電源が遮断されてからの一定期間は、制御部の回路中に電圧が残存するため、ミュート信号が制御不能となる場合がある。このような場合に、スピーカーが異音を生じさせる場合があった。
【０００６】
本発明は、上記課題にかんがみてなされたもので、電源遮断時における異音の発生を抑制することが可能な液晶表示装置の提供を目的とする。
【課題を解決するための手段】
【０００７】
上記課題を解決するために、本発明では、バックライトから照射される光を用いて映像を表示する液晶表示装置において、ミュート信号の信号変化に応じて音声出力を無音状態に制御し、設定電圧の変化に応じて待機状態に移行するアンプ回路と、前記ミュート信号と、前記バックライトの点灯を切替える点灯切替信号とを出力する制御部と、駆動電圧を前記制御部に供給し、前記設定電圧を前記アンプ回路に供給する電源回路と、前記バックライトを消灯させるよう前記点灯切替信号が変化した場合は、前記電源回路から前記アンプ回路へ供給される前記設定電圧を変化させて前記アンプ回路を待機状態に移行させる第１のスイッチ回路と、を有し、前記制御部は、同制御部へ供給される前記駆動電圧が遮断された場合に、前記バックライトを消灯させるよう前記点灯切替信号を変化させて、前記第１のスイッチ回路に前記アンプ回路を前記待機状態に移行させる。
【０００８】
上記のように構成された発明では、制御部は、ミュート信号と点灯切替信号とを出力する。また、制御部は、同制御部へ供給される駆動電圧が遮断された場合に、点灯切替信号を変化させる。そして、この点灯切替信号の変化により、第１のスイッチ回路は、アンプ回路を待機状態に変化させる。
そのため、制御部への電源供給が遮断された場合に、点灯切替信号によりアンプ回路を待機状態に移行させるため、電源遮断時における異音の発生を抑制することができる。
【発明の効果】
【０００９】
以上説明したように、本発明によれば、制御部への電源供給が遮断された場合に、点灯切替信号によりアンプ回路への電源供給を停止させるため、電源遮断時における異音の発生を抑制することができる。
【図面の簡単な説明】
【００１０】
【図１】液晶表示装置１の構成を説明するためのブロック構成図である。
【図２】各信号の波形を示す波形図である。
【図３】一例としての第１のスイッチ回路６及び第２のスイッチ回路７の構成を説明する図である。
【発明を実施するための形態】
【００１１】
以下、本発明の実施形態を説明する。
【００１２】
以下、図を参照して、この発明に係る液晶表示装置を具体化した第１の実施の形態について説明する。図１は、液晶表示装置１の構成を説明するためのブロック構成図である。また、図２は、各信号の波形を示す波形図である。
【００１３】
液晶表示装置１は、図示しない筺体の内部に、マイクロコンピュータ（制御部）２と、電源回路３と、アンプ回路４と、表示ディスプレイ５と、を備えて構成されている。上記構成の液晶表示装置１では、図示しない外部機器を通じて入力された映像データ又は図示しないチューナーを介して取得された放送信号をもとに、表示ディスプレイ５に映像を表示する。
【００１４】
マイクロコンピュータ２は、バスを介して各部と接続されており、液晶表示装置１における統合的な制御を行う。また、マイクロコンピュータ２は、演算を行うためのＣＰＵ（Central Processing Unit）や、このＣＰＵに所定の演算を実行させるためのプログラムが記録されたＲＯＭ(Read Only Memory)や、ＣＰＵのワークエリアとして作用するＲＡＭ（Random Access Memory）を備えて構成されている。また、マイクロコンピュータ２は、出力側で表示ディスプレイ５、及びアンプ回路４と接続されている。そのため、マイクロコンピュータ２は、表示ディスプレイ５及びアンプ回路４の駆動を制御することができる。さらに、マイクロコンピュータ２は、電圧検出ポートを通じて電源回路３から供給される電圧値を監視している。
【００１５】
また、マイクロコンピュータ２は、図示しないリモコン装置から電源オフを示す操作コマンドを受信した場合は、当該液晶表示装置１を待機状態に切替える。この待機状態では、マイクロコンピュータ２は、アンプ回路４及び表示ディスプレイ５への駆動電圧を供給しないよう電源回路３を制御する。
【００１６】
さらに、マイクロコンピュータ２は、表示ディスプレイ５のバックライト５１（後述）の駆動を切替えるＢＬ＿ＯＮ信号（点灯切替信号）や、アンプ回路４をミュート状態に移行させるミュート信号を出力する。ここで、ＢＬ＿ＯＮ信号は、図２に示すように、ハイレベルの場合にバックライト５１を点灯し、ローレベルの場合にバックライト５１を消灯させる。また、ＢＬ＿ＯＮ信号は、図示しないリモコン装置等からの操作コマンドに応じて切替えられる他、電源回路３からマイクロコンピュータ２への電源供給が停止された場合もローレベルに変化する。そして、ミュート信号は、ハイレベルの場合にアンプ回路４をミュート状態に移行させ、ローレベルの場合に、アンプ回路４を通常状態とする。また、ミュート信号は、図示しないリモコン装置からの操作コマンドに応じて、マイクロコンピュータ２から出力される。
【００１７】
また、マイクロコンピュータ２の映像データの出力側では、表示ディスプレイ５が図示しないドライバー等を介して接続されている。表示ディスプレイ５は、液晶を充填した画素をその解像度に応じて複数配置して構成された画面を備えている。また、画面を構成する各画素には、同画素に対向するよう配置された電極を備えており、この電極にドライバーから供給される駆動電圧を印加することで画素を駆動させ、液晶の配向を変化させる。また、表示ディスプレイ５は、画素を駆動させる走査線を選択するためのスイッチが多数設けられており、このスイッチにより選択された走査線上の画素に対向する電極に駆動電圧が供給される。
【００１８】
また、表示ディスプレイ５における画面の背面又は側面には、光を供給するためのバックライト５１が配置されている。バックライト５１は、ＬＥＤ（Light Emitting Diode）や蛍光管を光源として使用し、電源回路３から供給される電源により点灯する。そのため、表示ディスプレイ５は、このバックライト５１からの光を透過する各画素の透過率に応じて、画素の階調値が設定され、映像を表示する。
【００１９】
そして、マイクロコンピュータ２は、音声データの出力側で、アンプ回路４に接続されている。アンプ回路４は、マイクロコンピュータ２から供給された音声データに対して、デジタル・アナログ変換、増幅処理を行う。また、アンプ回路４の出力側はスピーカー４１に接続されており、デジタル・アナログ変換及び増幅された音声データは、スピーカー４１により音声として出力される。
【００２０】
また、マイクロコンピュータ２のミュート信号出力端子は、第２のスイッチ回路７を介してアンプ回路４のミュート端子と接続されている。ここで、アンプ回路４はミュート端子に供給される設定電圧が＋１３Ｖ付近である場合は、通常のモードで駆動する。即ち、音声データに対してデジタル・アナログ変換及び増幅処理等を施す。一方、マイクロコンピュータ２からミュート信号が第２のスイッチ回路７に供給された場合、例えば、アンプ回路４のミュート端子に供給される設定電圧が＋６Ｖ付近となり、ミュート状態に移行する。このミュート状態では、音声データが入力された場合も音声出力を行わず、無音状態となる。さらに、マイクロコンピュータ２からＢＬ＿Ｏｎ信号が第１のスイッチ回路６に供給された場合は、アンプ回路４のミュート端子に供給される設定電圧が０Ｖ付近となり、当該液晶表示装置１が待機状態に移行する。
【００２１】
電源回路３は、図示しない商用電源等とプラグを介して接続され、この商用電源をもとに安定化電源を生成する。電源回路３は、交流の商用電源を整流した後、所定の電圧を有する駆動電源を生成する。また、電源回路３のトランスの二次巻線は、マイクロコンピュータ２、表示ディスプレイ５、アンプ回路４に接続され、各部に駆動電源（駆動電圧）を供給する。
さらに、電源回路３の二次巻線とアンプ回路４のミュート端子とは、第１のスイッチ回路６、第２のスイッチ回路７を介して接続され、電源回路３からミュート端子に設定電圧が供給される。そして、設定電圧は、第１のスイッチ回路６又は第２のスイッチ回路７のいずれかの切替えに応じて、＋１３Ｖから０Ｖの間で変化する。
【００２２】
第２のスイッチ回路７は、ミュート信号がハイレベルに変化した場合に、設定電圧を＋１３Ｖから＋６Ｖ付近（例えば、６．４Ｖ〜３．３Ｖ電圧）に変化させて、アンプ回路４をミュート状態に移行させる。
また、第１のスイッチ回路６は、ＢＬ＿ＯＮ信号がローレベルに変化した場合に、電源回路３とアンプ回路４との接続を遮断し、設定電圧を０Ｖ付近（例えば、２Ｖ以下の電圧）に変化させて、アンプ回路４を待機状態に移行させる。そのため、上記実施形態では、第一の閾値電圧は６．４Ｖであり、第二の閾値電圧は２Ｖとなる。なお、各閾値電圧の値は、上記した６．４Ｖと２Ｖに限定されないことは言うまでもない。
【００２３】
図３は、一例としての第１のスイッチ回路６及び第２のスイッチ回路７の構成を説明する図である。図３に示すように、第１のスイッチ回路６は、トランジスターＴ１のコレクターを介して、電源回路３に接続され、設定電圧（ＡＭＰ＋１３Ｖ）の提供を受ける。そして、トランジスターＴ１のベースは、トランジスターＴ２のコレクターと抵抗を介して接続されている。また、トランジスターＴ２は、マイクロコンピュータ２のＢＬ＿ＯＮ出力端子とベース接続され、エミッターがグランド接続されている。
【００２４】
そして、第２のスイッチ回路７は、設定抵抗７１と、トランジスターＴ３と、を備えて構成されている。設定抵抗７１は、第１のスイッチ回路６のトランジスターＴ１のエミッターに一端が接続される抵抗Ｒ１と、この抵抗Ｒ１の他端に接続される抵抗Ｒ２及び抵抗Ｒ３と、を備えて構成されている。ここで、抵抗Ｒ１と抵抗Ｒ２とを繋ぐ接点は、アンプ回路４のミュート端子に接続されている。また、抵抗R３は、抵抗Ｒ１と抵抗Ｒ２との接点とミュート端子とを繋ぐ配線に一端が接続され、多端がグランドに接続されている。そして、トランジスターＴ３は、抵抗Ｒ２とコレクター接続され、マイクロコンピュータ２のミュート信号出力端子とベース接続され、エミッターがグランド接続されている。そのため、トランジスターＴ３のオン・オフに応じて設定抵抗７１（Ｒ１、Ｒ２、R3）の分圧比が変化し、アンプ回路４のミュート端子に供給される設定電圧を変化させる。なお、抵抗R３の抵抗値は抵抗R１に比べて十分に大きいものとする。
【００２５】
上記構成の液晶表示装置において、図２（ａ）に示すように、通常状態では、バックライト５１にはハイレベルのＢＬ＿ＯＮ信号が供給され、アンプ回路４には、ローレベルのミュート信号が供給される。そのため、アンプ回路４はマイクロコンピュータ２から音声データの供給を受け、この音声データをもとにスピーカーから音声を出力する。無論、この状態で、ＢＬ＿ＯＮ信号がローレベルに変化した場合は、バックライト５１を消灯するとともに、アンプ回路４を待機状態に移行させることとなる。
【００２６】
一方、マイクロコンピュータ２から供給されるミュート信号がハイレベルに変化した場合、第２のスイッチ回路７は、アンプ回路４のミュート端子にかかる設定電圧を＋６Ｖ付近に変化させて、アンプ回路４をミュート状態に移行させる。即ち、ミュート信号の変化によりトランジスターＴ３がオンし、設定抵抗７１の分圧比を変化させる。そして、ミュート端子に生じる設定電圧を＋１３Ｖから＋６Ｖ付近に変化させて、アンプ回路４をミュート状態に移行させる。そのため、アンプ回路４が音声データの供給を受ける場合でもスピーカーから音声を出力しない。
【００２７】
一方、図２（ｂ）に示すように、図示しないプラグと商用電源との接続が解除されて、電源回路３からの電源供給が遮断されると、電源回路３は駆動を停止し、トランスに生じさせる電圧が緩やかに低下していく。そのため、トランスに生じさせる電圧が所定値（閾値Ｓ）を下回ると、マイクロコンピュータ２は電圧検出ポートの監視電圧を基に電源の遮断を検出する。
【００２８】
そして、マイクロコンピュータ２は、ミュート信号をハイレベルに変化させた後、ＢＬ＿ＯＮ信号をローレベルに変化させることで、ミュート端子に供給する設定電圧を事前に低下させる。
【００２９】
また、ＢＬ＿ＯＮ信号がローレベルに変化することで、第１のスイッチ回路６が切替わり、電源回路３からアンプ回路４へのミュート端子にかかる設定電圧を遮断する。例えば、図３に示す回路では、トランジスターＴ２がオフすることで、トランジスターＴ１のコレクター・エミッター間が遮断され、電源回路３とアンプ回路４のミュート端子との接続が遮断される。そのため、アンプ回路４は待機状態となり、スピーカー４１からは異音を生じさせない。
【００３０】
また、電源回路３からの電源供給が遮断された状態では、マイクロコンピュータ２の内部電圧も低下し、所定期間経過後、駆動を完全に停止させる。例えば、電源電圧の低下により、マイクロコンピュータ２が制御不能となり、ミュート信号がハイレベルに変化した場合でも、電源回路３はすでに駆動を停止しており、トランスには電源を生じさせない。そのため、アンプ回路４のミュート端子には設定電圧の供給が行われず、スピーカー４１から異音を生じさせない。
【００３１】
以上説明したように本発明によれば、電源供給の遮断に応じて、アンプ回路４を待機状態に移行させて動作しないようにするため、スピーカー４１からの異音を抑制することができる。
また、ＢＬ＿ＯＮ信号を用いてアンプ回路４への設定電圧を遮断する構成とすれば、表示ディスプレイ５の消灯に応じてアンプ回路４を待機状態とことができ、ユーザーに違和感のない制御を行うことができる。
【００３２】
更に、マイクロコンピュータ２が、ミュート信号を出力した後、ＢＬ＿ＯＮ信号を出力する構成とすれば、アンプ回路４を急激な電圧変動から保護することができる。
【００３３】
そして、マイクロコンピュータが、駆動電圧の電圧値を検出し、検出された電圧値が一定値以下となった場合に、ＢＬ＿ＯＮ信号を変化させる構成とすれば、内部電圧が低下し、マイクロコンピュータが誤作動を起こした場合でも、電源回路３の供給電圧を回路を駆動させることができない電圧値まで低下させることができるため、アンプ回路４を駆動させることがなく、確実に異音を抑制することができる。
【００３４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３５】
１…液晶表示装置、２…マイクロコンピュータ、３…電源回路、４…アンプ回路、５…表示ディスプレイ、６…第１のスイッチ回路、７…第２のスイッチ回路、４１…スピーカー、５１…バックライト、７１…設定抵抗
【図１】
2013148640.tif 000003
【図２】
2013148640.tif 000004
【図３】
2013148640.tif 000005